(57)【要約】  【課題】  項目を表示するための表示領域に表示画面を占有させずに、利用者に複数の項目を選択させることができる項目選択装置を提供する。  【解決手段】  表示装置の表示画面上にコントローラ３２を表示させるコントローラ表示手段と、入力装置を介した入力によってコントローラ３２が選択されたときに表示装置の表示画面上に複数のメニュー項目の一覧よりなる出力メニュー３４を表示させるメニュー表示手段と、入力装置を介した入力によって出力メニュー３４から選択されたメニュー項目が選択状態にある場合には、当該メニュー項目を非選択状態に切り替え、入力装置を介した入力によって出力メニュー３４から選択されたメニュー項目が非選択状態にある場合には、当該メニュー項目を選択状態に切り替える選択状態切替手段とを備え、選択状態切替手段は、入力装置を介した入力によって出力メニュー３４から選択されなかったメニュー項目の状態を維持する。【選択図】  図６
2006260044.tif 000002
【特許請求の範囲】
【請求項１】
表示装置の表示画面上にコントローラを表示させるコントローラ表示手段と、
入力装置を介した入力によって前記コントローラが選択されたときに前記表示装置の表示画面上に複数のメニュー項目の一覧よりなるメニューを表示させるメニュー表示手段と、
前記入力装置を介した入力によって前記メニューから選択されたメニュー項目が選択状態にある場合には、当該メニュー項目を非選択状態に切り替え、前記入力装置を介した入力によって前記メニューから選択されたメニュー項目が非選択状態にある場合には、当該メニュー項目を選択状態に切り替える選択状態切替手段とを備え、
前記選択状態切替手段は、前記入力装置を介した入力によって選択されなかった前記メニュー項目の状態を維持することを特徴とする項目選択装置。
【請求項２】
前記メニュー表示手段によって表示されるメニューは、全選択解除を表すメニュー項目を含み、
前記選択状態切替手段は、前記全選択解除を表すメニュー項目が前記入力装置を介した入力によって選択された場合には、全ての前記メニュー項目を非選択状態にすることを特徴とする請求項１に記載の項目選択装置。
【請求項３】
前記メニュー表示手段は、複数の対象のうち何れか１つの対象に対する前記メニューを表示させ、前記メニューの対象を除いた他の対象に対して選択状態にあるメニュー項目を、前記他の対象に対して非選択状態にあるメニュー項目と識別できるように表示させることを特徴とする請求項１または請求項２に記載の項目選択装置。
【請求項４】
前記選択状態切替手段は、前記他の対象に対して選択状態にあるメニュー項目が前記入力装置を介した入力によって前記メニューから選択された場合には、前記メニューの対象に対して当該メニュー項目を選択状態にし、前記他の対象に対して当該メニュー項目を非選択状態にすることを特徴とする請求項３に記載の項目選択装置。
【請求項５】
表示装置の表示画面上にコントローラを表示させるコントローラ表示ステップと、
入力装置を介した入力によって前記コントローラが選択されたときに前記表示装置の表示画面上に複数のメニュー項目の一覧よりなるメニューを表示させるメニュー表示ステップと、
前記入力装置を介した入力によって前記メニューから選択されたメニュー項目が選択状態にある場合には、当該メニュー項目を非選択状態に切り替え、前記入力装置を介した入力によって前記メニューから選択されたメニュー項目が非選択状態にある場合には、当該メニュー項目を選択状態に切り替える選択状態切替ステップとを備え、
前記選択状態切替ステップでは、前記入力装置を介した入力によって選択されなかった前記メニュー項目の状態を維持することを特徴とする項目選択方法。
【発明の詳細な説明】
【技術分野】
【０００１】
本発明は、コンピュータシステムにおいて利用者が複数の項目を選択できる項目選択装置に関するものである。
【背景技術】
【０００２】
従来、コンピュータシステムにおいて利用者が複数の項目を選択できる項目選択装置としては、図１０に示すように、一覧表示手段５１がデータ記憶手段５２から読み出したデータをディスプレイ５３に表示し、キーボード・マウス入力手段５４に入力されたデータの範囲指定の指示が完了する毎に選択確定判定手段５５が範囲指定されたデータを選択データ記憶手段５６に記憶し、キーボード・マウス入力手段５４に入力された選択終了の指示に応じて選択終了判定手段５７によってデータの選択が終了したと判断されると、処理実行手段５８が選択されたデータに対する処理を実行するものがある（例えば、特許文献１参照）。
【特許文献１】特開平６−２８１３４号公報
【発明の開示】
【発明が解決しようとする課題】
【０００３】
しかしながら、従来の項目選択装置においては、利用者に複数の項目を選択させるために、項目を選択させるためのリスト等を表示画面上に常に表示させているため、項目を表示するための表示領域が表示画面を占有してしまうといった問題があった。
【０００４】
本発明は、従来の問題を解決するためになされたもので、項目を表示するための表示領域に表示画面を占有させずに、利用者に複数の項目を選択させることができる項目選択装置を提供することを目的とする。
【課題を解決するための手段】
【０００５】
本発明の項目選択装置は、表示装置の表示画面上にコントローラを表示させるコントローラ表示手段と、入力装置を介した入力によって前記コントローラが選択されたときに前記表示装置の表示画面上に複数のメニュー項目の一覧よりなるメニューを表示させるメニュー表示手段と、前記入力装置を介した入力によって前記メニューから選択されたメニュー項目が選択状態にある場合には、当該メニュー項目を非選択状態に切り替え、前記入力装置を介した入力によって前記メニューから選択されたメニュー項目が非選択状態にある場合には、当該メニュー項目を選択状態に切り替える選択状態切替手段とを備え、前記選択状態切替手段は、前記入力装置を介した入力によって選択されなかった前記メニュー項目の状態を維持するように構成されている。
【０００６】
この構成により、本発明の項目選択装置は、コントローラが選択されたときに表示装置の表示画面上に複数のメニュー項目の一覧よりなるメニューを表示させることによって、複数のメニュー項目を選択できるようにしたため、項目を表示するための表示領域に表示画面を占有させずに、利用者に複数の項目を選択させることができる。
【０００７】
なお、前記メニュー表示手段によって表示されるメニューは、全選択解除を表すメニュー項目を含み、前記選択状態切替手段は、前記全選択解除を表すメニュー項目が前記入力装置を介した入力によって選択された場合には、全ての前記メニュー項目を非選択状態にするようにしてもよい。
【０００８】
この構成により、本発明の項目選択装置は、１つのメニュー項目を選択するだけで、全てのメニュー項目を非選択状態にすることができる。
【０００９】
また、前記メニュー表示手段は、複数の対象のうち何れか１つの対象に対する前記メニューを表示させ、前記メニューの対象を除いた他の対象に対して選択状態にあるメニュー項目を、前記他の対象に対して非選択状態にあるメニュー項目と識別できるように表示させるようにしてもよい。
【００１０】
この構成により、本発明の項目選択装置は、他の対象に対して選択状態にあるメニュー項目を非選択状態にあるメニュー項目と識別できるように表示装置に表示させるため、他の対象に対して選択状態にあるメニュー項目を利用者に容易に認識させることができる。
【００１１】
また、前記選択状態切替手段は、前記他の対象に対して選択状態にあるメニュー項目が前記入力装置を介した入力によって前記メニューから選択された場合には、前記メニューの対象に対して当該メニュー項目を選択状態にし、前記他の対象に対して当該メニュー項目を非選択状態にするようにしてもよい。
【００１２】
この構成により、本発明の項目選択装置は、他の対象に対して選択状態にあるメニュー項目を非選択状態にする操作を必要とせずに、他の対象に対して選択状態にあるメニュー項目をメニューの対象に対して選択状態にすることができる。
【００１３】
本発明の項目選択方法は、表示装置の表示画面上にコントローラを表示させるコントローラ表示ステップと、入力装置を介した入力によって前記コントローラが選択されたときに前記表示装置の表示画面上に複数のメニュー項目の一覧よりなるメニューを表示させるメニュー表示ステップと、前記入力装置を介した入力によって前記メニューから選択されたメニュー項目が選択状態にある場合には、当該メニュー項目を非選択状態に切り替え、前記入力装置を介した入力によって前記メニューから選択されたメニュー項目が非選択状態にある場合には、当該メニュー項目を選択状態に切り替える選択状態切替ステップとを備え、前記選択状態切替ステップでは、前記入力装置を介した入力によって選択されなかった前記メニュー項目の状態を維持する。
【００１４】
この方法により、コントローラが選択されたときに表示装置の表示画面上に複数のメニュー項目の一覧よりなるメニューを表示させることによって、複数のメニュー項目を選択できるようにしたため、項目を表示するための表示領域に表示画面を占有させずに、利用者に複数の項目を選択させることができる。
【発明の効果】
【００１５】
本発明は、項目を表示するための表示領域に表示画面を占有させずに、利用者に複数の項目を選択させることができるといった効果を有する項目選択装置を提供することができる。
【発明を実施するための最良の形態】
【００１６】
以下、本発明の実施の形態について、図面を参照して説明する。なお、本実施形態では、音響信号をミキシングするミキシング装置を制御するためのコンピュータ装置に本発明の項目選択装置を適用したミキシングシステムについて説明する。
【００１７】
本発明の一実施の形態のミキシングシステムを図１に示す。
【００１８】
ミキシング装置１は、ＵＳＢ（Universal Serial Bus）ポートのように外部の装置と通信するための外部インタフェイス１０と、１チャンネルから１６チャンネルまでの各入力チャンネルに入力された音響信号をそれぞれアナログデジタル変換するアナログデジタル変換器１１と、音響信号をミキシングするミキシング部１２と、ミキシングされた音響信号をデジタルアナログ変換するデジタルアナログ変換器１３とを備え、１チャンネルから１６チャンネルまでの各出力チャンネルに音響信号をそれぞれ出力するようになっている。
【００１９】
なお、本実施形態におけるミキシング装置１に関する説明は、本発明の項目選択装置を適用したミキシングシステムに適用されるミキシング装置の機能を限定するものではない。例えば、本発明の項目選択装置を適用したミキシングシステムには、音響効果を音響信号に与えるエフェクト機能等の他の機能を有するミキシング装置を設けてもよい。
【００２０】
コンピュータ装置２は、コンピュータ装置本体２０と、表示装置２１と、キーボード装置およびマウス装置等よりなる入力装置２２とを備えている。
【００２１】
コンピュータ装置本体２０は、プログラムやデータを記憶するＲＯＭ（Read Only Memory）およびハードディスク装置よりなる記憶装置２４と、記憶装置２４に記憶されたプログラムを実行するＣＰＵ（Central Processing Unit）等のプロセッサ２５と、プロセッサ２５によって利用されるデータ等を記憶するＲＡＭ（Random Access Memory）等よりなるメモリ２６と、表示装置２１の表示を制御する表示制御装置２７と、ＵＳＢポートのように外部の装置と通信するための外部インタフェイス２８とを備えている。
【００２２】
記憶装置２４には、ミキシング装置１を制御するためのミキシング制御プログラムが記憶されている。プロセッサ２５は、ミキシング制御プログラムを実行することによって、コンピュータ装置２をミキシング制御装置として機能させる。
【００２３】
ミキシング制御プログラムを実行するプロセッサ２５は、入力チャンネルと出力チャンネルとを対応させるチャンネルテーブルをメモリ２６に記憶し、メモリ２６に記憶したチャンネルテーブルに基づいて生成したミキシング制御信号を外部インタフェイス２８を介してミキシング装置１に送信するようになっている。
【００２４】
ミキシング制御信号を外部インタフェイス１０を介して受信したミキシング装置１では、ミキシング制御信号に基づいてミキシング部１２がチャンネルテーブルに従ったミキシングを行うようになっている。
【００２５】
なお、ミキシング装置１においては、１つの入力チャンネルに複数の出力チャンネルを割り当てることができるが、１つの出力チャンネルを割り当てることができる入力チャンネルの数は１つである。
【００２６】
以上のように構成されたコンピュータ装置２について、図２乃至図８を用いてその動作を説明する。
【００２７】
プロセッサ２５によってミキシング制御プログラムが実行されると、図２（ａ）に示すようなウインドウ３０が表示装置２１の表示画面上に表示される。
【００２８】
ウインドウ３０内には、少なくとも２つのコントローラ３１、３２が表示される。コントローラ３１は、入力チャンネルを表し、コントローラ３２は、コントローラ３１が表す入力チャンネルに割り当てられた出力チャンネルを表している。
【００２９】
ここで、入力装置２２を介してコントローラ３１が選択されると、表示装置２１の表示画面上には、図２（ｂ）に示すように、各入力チャンネルを表すメニュー項目よりなる入力メニュー３３が表示される。なお、メニュー項目名の左側に表示される黒丸のマークは、入力メニュー３３が表示される前に、該当するメニュー項目が選択されていたことを表している。
【００３０】
次いで、入力装置２２を介して入力メニュー３３からメニュー項目が選択されると、入力メニュー３３が閉じ、図２(ｃ)に示すように、選択されたメニュー項目が表す入力チャンネルをコントローラ３１が表すようコントローラ３１の表示が更新され、コントローラ３１が表す入力チャンネルに割り当てられた出力チャンネルを表すようコントローラ３２の表示が更新される。
【００３１】
なお、コントローラ３１が表す入力チャンネルを以下単に「該当チャンネル」といい、コントローラ３１が表す入力チャンネルを除く他のチャンネルを以下単に「非該当チャンネル」という。
【００３２】
図３および図４は、ミキシング制御プログラムを実行するプロセッサ２５によるコントローラ３２の制御動作を説明するためのフロー図である。
【００３３】
まず、入力装置２２を介してコントローラ３２が選択されると（Ｓ１）、プロセッサ２５は、各出力チャンネルを表すメニュー項目よりなる出力メニューを表示装置２１の表示画面上に表示させる（Ｓ２）。
【００３４】
ここで、プロセッサ２５による出力メニューの表示動作（図３、Ｓ２）について図５を用いて説明する。
【００３５】
出力メニューの表示動作において、プロセッサ２５は、メニュー項目の数だけ以下に説明するステップＳ３１からＳ３９までを繰り返し実行する（Ｓ３０、Ｓ４０）。
【００３６】
まず、プロセッサ２５は、入力装置２２によってメニュー項目が選択されているか否かを判断し（Ｓ３１）、メニュー項目が選択されていると判断した場合には、このメニュー項目をアクティブ表示する（Ｓ３２）。
【００３７】
ここで、アクティブ表示とは、例えば、メニュー項目を他のメニュー項目と識別できるようメニュー項目名および背景を他のメニュー項目のものと色を異ならせて表示させることをいう。
【００３８】
次に、プロセッサ２５は、メニュー項目が表す出力チャンネルが該当チャンネルに割り当てられているか否か、すなわち、メニュー項目が該当チャンネルに対して選択状態にあるか非選択状態にあるかを判断し（Ｓ３３）、メニュー項目が該当チャンネルに対して選択状態にあると判断した場合には、このメニュー項目が選択状態にあることを表す黒丸のマークをメニュー項目名の左側に表示させる（Ｓ３４）。
【００３９】
ステップＳ３１において、プロセッサ２５は、入力装置２２によってメニュー項目が選択されていないと判断した場合には、メニュー項目が該当チャンネルに対して選択状態にあるか非選択状態にあるかを判断し（Ｓ３５）、メニュー項目が該当チャンネルに対して選択状態にあると判断した場合には、このメニュー項目をディアクティブ表示する（Ｓ３６）。
【００４０】
ここで、ディアクティブ表示とは、例えば、メニュー項目をアクティブ表示されたメニュー項目と識別できるよう、メニュー項目名および背景をアクティブ表示されたメニュー項目のものと色を異ならせて表示させることをいう。
【００４１】
次いで、プロセッサ２５は、ディアクティブ表示されたメニュー項目が選択状態にあることを表す黒丸のマークをメニュー項目名の左側に表示させる（Ｓ３４）。
【００４２】
ステップＳ３５において、プロセッサ２５は、メニュー項目が該当チャンネルに対して非選択状態にあると判断した場合には、メニュー項目が非該当チャンネルに対して選択状態にあるか非選択状態にあるかを判断する（Ｓ３７）。
【００４３】
プロセッサ２５は、メニュー項目が非該当チャンネルに対して選択状態にあると判断した場合には、このメニュー項目をグレー表示する（Ｓ３８）。ここで、グレー表示とは、例えば、メニュー項目を非該当チャンネルに対して非選択状態にあるメニュー項目と識別できるよう、メニュー項目名および背景を非該当チャンネルに対して非選択状態にあるメニュー項目のものと色を異ならせて表示させることをいう。
【００４４】
一方、プロセッサ２５は、メニュー項目が非該当チャンネルに対して非選択状態にあると判断した場合には、メニュー項目をディアクティブ表示する（Ｓ３９）。
【００４５】
このような出力メニューの表示動作によって表示装置２１の表示画面上には、図６に示すような出力メニュー３４が表示される。
【００４６】
図６において、１チャンネル、３チャンネルおよび５チャンネルを表すメニュー項目は、該当チャンネルに対して選択状態であり、メニュー項目名の左側に黒丸のマークが表示される。これは、ミキシング装置１において、該当チャンネルから入力された音響信号は、１チャンネル、３チャンネルおよび５チャンネルから出力されることを表している。
【００４７】
また、７チャンネルおよび８チャンネルを表すメニュー項目は、非該当チャンネルに対して選択状態であり、例えば、背景とメニュー項目名が灰色がかって表示される。
【００４８】
このように、非該当チャンネルに対して選択状態にあるメニュー項目を他のメニュー項目と識別できるようにすることによって、非該当チャンネルに対して選択状態にあるメニュー項目をコントローラ３１の切り替えを要することなく利用者に容易に認識させることができる。
【００４９】
なお、出力メニュー３４の一番上に表示されるメニュー項目「---」は、該当チャンネルに対して全てのメニュー項目を非選択状態にする全選択解除を表している。また、出力メニュー３４は、図６に示すように、メニュー項目をスクロールさせるためのスクロールバー３５を有するものでもよい。
【００５０】
図３において、プロセッサ２５は、入力装置２２によるメニュー項目の選択が変わるたびにステップＳ２を繰り返し実行することによって出力メニュー３４の表示を更新する。ここで、マウス装置によって何れかのメニュー項目がクリックされる等して、入力装置２２によってメニュー項目の選択が完了すると（Ｓ３）、プロセッサ２５は、何れかのメニュー項目が選択されたか否かを判断する（Ｓ４）。
【００５１】
プロセッサ２５は、何れのメニュー項目も選択されていないと判断した場合には、出力メニュー３４を閉じ（Ｓ５）、図７を用いて後で説明するようにコントローラ３２の表示を更新し（Ｓ６）、コントローラ３２の制御動作を終了する。
【００５２】
一方、プロセッサ２５は、何れかのメニュー項目が選択されたと判断した場合には、選択されたメニュー項目が全選択解除を表すものであるか否かを判断し（Ｓ７）、選択されたメニュー項目が全選択解除を表すものであると判断した場合には、該当チャンネルに対する全てのメニュー項目を非選択状態にし（Ｓ８）、出力メニュー３４を閉じ（Ｓ５）、コントローラ３２の表示を更新し（Ｓ６）、コントローラ３２の制御動作を終了する。
【００５３】
ステップＳ７において、プロセッサ２５は、選択されたメニュー項目が全選択解除を表すものでないと判断した場合には、選択されたメニュー項目が非該当チャンネルに対して選択状態にあるか非選択状態にあるかを判断する（Ｓ９）。
【００５４】
プロセッサ２５は、選択されたメニュー項目が非該当チャンネルに対して選択状態にあると判断した場合には、選択されたメニュー項目が非該当チャンネルに対して選択状態にある旨を示すメッセージウインドウを表示装置２１の表示画面上に表示させる（Ｓ１０）。
【００５５】
ここで、表示装置２１の表示画面上に表示されるメッセージウインドウには、処理の続行を表すＯＫボタンと、処理の中止を表すキャンセルボタンが表示される。入力装置２２を介してＯＫボタンが押下された場合（Ｓ１１）には、プロセッサ２５は、選択されたメニュー項目を非該当チャンネルに対して非選択状態にし（Ｓ１２）、選択されたメニュー項目を該当チャンネルに対して選択状態にする（Ｓ１３）。
【００５６】
一方、入力装置２２を介してキャンセルボタンが押下された場合（Ｓ１１）には、プロセッサ２５は、出力メニュー３４を閉じ（Ｓ５）、コントローラ３２の表示を更新し（Ｓ６）、コントローラ３２の制御動作を終了する。
【００５７】
ステップＳ９において、プロセッサ２５は、選択されたメニュー項目が非該当チャンネルに対して非選択状態にあると判断した場合には、選択されたメニュー項目が該当チャンネルに対して選択状態にあるか非選択状態にあるかを判断する（Ｓ１４、図４）。
【００５８】
プロセッサ２５は、選択されたメニュー項目が該当チャンネルに対して選択状態にあると判断した場合には、選択されたメニュー項目を該当チャンネルに対して非選択状態にし（Ｓ１５）、出力メニュー３４を閉じ（Ｓ５）、コントローラ３２の表示を更新し（Ｓ６）、コントローラ３２の制御動作を終了する。
【００５９】
一方、プロセッサ２５は、選択されたメニュー項目が該当チャンネルに対して非選択状態にあると判断した場合には、選択されたメニュー項目を該当チャンネルに対して選択状態にし（Ｓ１６）、出力メニュー３４を閉じ（Ｓ５）、コントローラ３２の表示を更新し（Ｓ６）、コントローラ３２の制御動作を終了する。
【００６０】
図７は、プロセッサ２５によるコントローラ３２の表示の更新動作（図３、Ｓ６）を説明するためのフロー図である。
【００６１】
まず、プロセッサ２５は、該当チャンネルに対して選択状態にあるメニュー項目があるか否かを判断し（Ｓ５０）、該当チャンネルに対して選択状態にあるメニュー項目があると判断した場合には、図８（ａ）に示すように、該当チャンネルに対して選択状態にあり、最も若いチャンネル番号の出力チャンネルを表すメニュー項目のメニュー項目名をコントローラ３２に表示させる（Ｓ５１）。
【００６２】
一方、プロセッサ２５は、該当チャンネルに対して選択状態にあるメニュー項目がないと判断した場合には、図８（ｂ）に示すように、該当チャンネルに対して選択状態にあるメニュー項目がない旨を表す「---」をコントローラ３２に表示させる（Ｓ５２）。
【００６３】
以上のように更新された各メニュー項目の状態は、プロセッサ２５によってメモリ２６に記憶されたチャンネルテーブルに反映され、チャンネルテーブルに基づいて生成されたミキシング制御信号が外部インタフェイス２８を介してミキシング装置１に送信される。
【００６４】
このように、ミキシング制御プログラムを実行するプロセッサ２５は、図９に示すように、表示装置２１の表示画面上にコントローラ３２を表示させるコントローラ表示手段４０と、入力装置２２を介した入力によってコントローラ３２が選択されたときに表示装置２１の表示画面上に複数のメニュー項目の一覧よりなる出力メニュー３４を表示させるメニュー表示手段４１と、入力装置２２を介した入力によって出力メニュー３４から選択されたメニュー項目が選択状態にある場合には、当該メニュー項目を非選択状態に切り替え、入力装置２２を介した入力によって出力メニュー３４から選択されたメニュー項目が非選択状態にある場合には、当該メニュー項目を選択状態に切り替える選択状態切替手段４２とを構成する。
【００６５】
このような本発明の一実施の形態のミキシングシステムは、コントローラ３２が選択されたときに表示装置２１の表示画面上に複数のメニュー項目の一覧よりなる出力メニュー３４を表示させることによって、複数のメニュー項目を選択できるようにしたため、項目を表示するための表示領域に表示装置２１の表示画面を占有させずに、利用者に複数の項目を選択させることができる。
【産業上の利用可能性】
【００６６】
以上のように、本発明にかかる項目選択装置は、項目を表示するための表示領域に表示画面を占有させずに、利用者に複数の項目を選択させることができるという効果を有し、例えば、コンピュータシステムにおいて利用者が複数の項目を選択できる項目選択装置等として有用である。
【図面の簡単な説明】
【００６７】
【図１】本発明の一実施の形態におけるミキシングシステムのブロック図
【図２】本発明の一実施の形態におけるミキシングシステムを構成する表示装置による入力メニューの表示例
【図３】本発明の一実施の形態におけるミキシングシステムを構成するプロセッサによるコントローラの制御動作を説明するためのフロー図
【図４】図３に続くフロー図
【図５】本発明の一実施の形態におけるミキシングシステムを構成するプロセッサによる出力メニューの表示動作を説明するためのフロー図
【図６】本発明の一実施の形態におけるミキシングシステムを構成する表示装置による出力メニューの表示例
【図７】本発明の一実施の形態におけるミキシングシステムを構成するプロセッサによるコントローラの表示の更新動作を説明するためのフロー図
【図８】本発明の一実施の形態におけるミキシングシステムを構成する表示装置によるコントローラの表示例
【図９】本発明の一実施の形態におけるミキシングシステムを構成するプロセッサの機能ブロック図
【図１０】従来の項目選択装置のブロック図
【符号の説明】
【００６８】
１  ミキシング装置
２  コンピュータ装置
１０、２８  外部インタフェイス
１１  アナログデジタル変換器
１２  ミキシング部
１３  デジタルアナログ変換器
２０  コンピュータ装置本体
２１  表示装置
２２  入力装置
２４  記憶装置
２５  プロセッサ
２６  メモリ
２７  表示制御装置
４０  コントローラ表示手段
４１  メニュー表示手段
４２  選択状態切替手段
５１  一覧表示手段
５２  データ記憶手段
５３  ディスプレイ
５４  キーボード・マウス入力手段
５５  選択確定判定手段
５６  選択データ記憶手段
５７  選択終了判定手段
５８  処理実行手段
【図１】
2006260044.tif 000003
【図２】
2006260044.tif 000004
【図３】
2006260044.tif 000005
【図４】
2006260044.tif 000006
【図５】
2006260044.tif 000007
【図７】
2006260044.tif 000008
【図８】
2006260044.tif 000009
【図９】
2006260044.tif 000010
【図１０】
2006260044.tif 000011
【図６】
2006260044.tif 000012